(57)【要約】【課題】  読取装置から複数のタグＩＤが含まれた問合せ信号が発信される場合でもタグの消費電力を低減することのできるＲＦＩＤシステムを提供する。【解決手段】  。  読取装置２００のＢＣＣ生成部２３４は各タグＩＤごとにＢＣＣを生成し、データ合成部２３２は各タグＩＤとこれに対応するＢＣＣをセットにして、送信データを構成する。受信を始めたアクティブ型ＲＦＩＤタグ１００は、ＩＤとＢＣＣを受信するごとにＢＣＣチェック部１６４でＢＣＣによるチェックを行い、ＯＫであればデータ解読部１６２でＩＤを抽出してメモリ１２０から取り出したタグＩＤと比較する。受信ＩＤがメモリ１２０から取り出したタグＩＤと一致したら受信部１９０とデータ復号部１６０がディセーブルされ、データ生成部１５０がメモリ１２０から取り出したタグＩＤを含む送信データを生成する。送信データを送信した後、アクティブ型ＲＦＩＤタグ１００は休止モードに移行する。【選択図】図１
2007323253.tif 000002
【特許請求の範囲】
【請求項１】
ＲＦＩＤタグと、該ＲＦＩＤタグとの間で２種類の送受信チャネルを用いて通信し、送信、受信を同時に処理可能な読取装置とを含むＲＦＩＤシステムであって、
前記読取装置は、
複数のＩＤの各々に対してチェックコードを生成して該各ＩＤに対応付け、該対応付けられた複数のＩＤとチェックコードを含む第１の送信データを生成するデータ生成部と、
前記第１の送信データを第１の送受信チャネルを用いて送信する第１の送信部と、
前記ＲＦＩＤタグから第２の送受信チャネルを用いて送信された第２の送信データを受信する第１の受信部とを備え、
前記ＲＦＩＤタグは、
自身のＩＤを記憶する記憶部と、
前記第１の送信データを受信する第２の受信部と、
前記第１の送信データに含まれるＩＤの一つと該ＩＤに対応付けられたチェックコードごとに該チェックコードを用いて該ＩＤのチェックを行うチェック部と、
前記記憶部に記憶されたＩＤを含む第２の送信データを前記第２の送受信チャネルを用いて送信する第２の送信部とを備え、
前記チェック部でチェックしたＩＤが前記記憶部に記憶されたＩＤと一致すれば前記第２の受信部の受信処理の少なくとも一部を停止する
ことを特徴とするＲＦＩＤシステム。
【請求項２】
ＲＦＩＤタグとの間で２種類の送受信チャネルを用いて通信し、送信、受信を同時に処理可能な読取装置であって、
複数のＩＤの各々に対してチェックコードを生成して該各ＩＤに対応付け、該対応付けられた複数のＩＤとチェックコードを含む第１の送信データを生成するデータ生成部と、
前記第１の送信データを第１の送受信チャネルを用いて送信する第１の送信部と、
前記ＲＦＩＤタグから第２の送受信チャネルを用いて送信された第２の送信データを受信する第１の受信部と
を備えたことを特徴とする読取装置。
【請求項３】
請求項２に記載した読取装置であって、
前記第１の送信データに含まれるすべてのＩＤを含むＩＤ群を指定する情報を含むＩＤヘッダを生成するＩＤヘッダ生成部をさらに備え、
前記第１の送信データは前記ＩＤヘッダをさらに含む
ことを特徴とする読取装置。
【請求項４】
読取装置との間で２種類の送受信チャネルを用いて通信するＲＦＩＤタグであって、
自身のＩＤを記憶する記憶部と、
前記読取装置から第１の送受信チャネルを用いて送信された第１の送信データを受信する第２の受信部と、
前記第１の送信データに含まれるＩＤの一つと該ＩＤに対応付けられたチェックコードごとに該チェックコードを用いて該ＩＤのチェックを行うチェック部と、
前記記憶部に記憶されたＩＤを含む第２の送信データを第２の送受信チャネルを用いて送信する第２の送信部とを備え、
前記チェック部でチェックしたＩＤが前記記憶部に記憶されたＩＤと一致すれば前記第２の受信部の受信処理の少なくとも一部を停止する
ことを特徴とするＲＦＩＤタグ。
【請求項５】
請求項４に記載したＲＦＩＤタグであって、
前記記憶部に記憶されたＩＤが、前記第１の送信データに含まれる情報によって指定されるＩＤ郡に含まれなければ前記第２の受信部の受信処理の少なくとも一部を停止する
ことを特徴とするＲＦＩＤタグ。
【発明の詳細な説明】
【技術分野】
【０００１】
本発明はＲＦＩＤシステムに関し、特に、アクティブ型ＲＦＩＤタグの省電力化が可能なＲＦＩＤシステムに関する。
【背景技術】
【０００２】
ＲＦＩＤタグは、商品等に取り付けられあるいは人によって携帯され、商品あるいは人に関する情報、例えば商品あるいは人に割り振られたＩＤを電波で発信する。その電波を受信し解析することによって、読取装置が商品あるいは人に関する情報を入手する。商品あるいは人に関する情報はコンピュータ等によってさらに処理され、商品の流通および人の行動の監視および管理に利用される。このように、ＲＦＩＤタグは非接触で商品の流通、人の行動の監視、管理に利用できるため、様々な場面での活用が期待されている。
【０００３】
ＲＦＩＤタグには電源を読取装置から非接触で供給するパッシブ型のＲＦＩＤタグと、内蔵バッテリからの給電によるアクティブ型のＲＦＩＤタグがある。パッシブ型のＲＦＩＤタグは半永久的に使用できるが、通信可能距離が比較的短いため用途が限定される。アクティブ型のＲＦＩＤタグは通信可能距離が比較的長いため用途が広いが、バッテリ寿命に限界がある。
【０００４】
セキュリティを考慮したアクティブ型ＲＦＩＤタグとして、電波発信の追跡をかわすために、読取装置からのタグＩＤ問合せに対してのみ応答するものがある。読取装置は問合せ信号を発信したのち、アクティブ型ＲＦＩＤタグからの応答信号を待つための受信待機モードに入る。一定時間の受信待機モードが終了したのち、有効な応答信号が得られなければ読取装置は改めて問合せ信号を発信する。これを周期的に繰り返す。アクティブ型ＲＦＩＤタグは読取装置からの問合せ信号を検出するために、一定周期でキャリアセンスを行うが、読取装置からの問合せ信号を確実に検知するためには、アクティブ型ＲＦＩＤタグのキャリアセンスの持続時間を読取装置の問合せ信号発信周期以上にしておく必要があるため、アクティブ型ＲＦＩＤタグにとっては、かなりの消費電力となる。
【０００５】
これを解決するために、読取装置の送受信を別チャンネルとし、送受独立して制御する構成が特願２００５−１６４０６６号に開示されている。
【特許文献１】特願２００５−１６４０６６号
【発明の開示】
【発明が解決しようとする課題】
【０００６】
従来技術では、複数のタグに対して問合せ信号を発信する場合、読取装置はこれら複数のタグＩＤをひとまとめにした問合せ信号を作成し、繰り返し発信する。各タグは、すべてのタグＩＤを含んだ問い合わせ信号を読取装置から受信し、その中に自分のタグＩＤが含まれていれば、問合せ信号に含まれているコマンドの処理を行う。例えばタグＩＤ要求コマンドであれば、自分のタグＩＤを返信する。問合せ信号の最後には伝送エラーチェックのためのＢＣＣ（ブロックチェックコード）が含まれており、各タグはＢＣＣによるチェックを経てから、自分のタグＩＤが含まれているか否かのチェックを行う。したがって、タグ側ではこれらすべてのタグＩＤとＢＣＣの受信処理をする必要があり、特に問合せ信号の中に多数のタグＩＤが含まれる場合には長時間の受信処理となるため、その分、多くの電力を消費する。
【０００７】
本発明の目的は、読取装置から複数のタグＩＤが含まれた問合せ信号が発信される場合でもタグの消費電力を低減することのできるＲＦＩＤシステムを提供することである。
【課題を解決するための手段】
【０００８】
本発明の一つの態様は、ＲＦＩＤタグと、このＲＦＩＤタグとの間で２種類の送受信チャネルを用いて通信し、送信、受信を同時に処理可能な読取装置とを含むＲＦＩＤシステムである。読取装置は、複数のＩＤの各々に対してチェックコードを生成して各ＩＤに対応付け、対応付けられた複数のＩＤとチェックコードを含む第１の送信データを生成するデータ生成部と、第１の送信データを第１の送受信チャネルを用いて送信する第１の送信部と、ＲＦＩＤタグから第２の送受信チャネルを用いて送信された第２の送信データを受信する第１の受信部とを備えることを特徴とする。ＲＦＩＤタグは、自身のＩＤを記憶する記憶部と、第１の送信データを受信する第２の受信部と、第１の送信データに含まれるＩＤの一つとこのＩＤに対応付けられたチェックコードごとにチェックコードを用いてＩＤのチェックを行うチェック部と、記憶部に記憶されたＩＤを含む第２の送信データを第２の送受信チャネルを用いて送信する第２の送信部とを備え、チェック部でチェックしたＩＤが記憶部に記憶されたＩＤと一致すれば第２の受信部の受信処理の少なくとも一部を停止することを特徴とする。
【０００９】
本発明の一つの態様は、ＲＦＩＤタグとの間で２種類の送受信チャネルを用いて通信し、送信、受信を同時に処理可能な読取装置であり、複数のＩＤの各々に対してチェックコードを生成して各ＩＤに対応付け、対応付けられた複数のＩＤとチェックコードを含む第１の送信データを生成するデータ生成部と、第１の送信データを第１の送受信チャネルを用いて送信する第１の送信部と、ＲＦＩＤタグから第２の送受信チャネルを用いて送信された第２の送信データを受信する第１の受信部とを備えたことを特徴とする。
【００１０】
上述の読取装置は、第１の送信データに含まれるすべてのＩＤを含むＩＤ群を指定する情報を含むＩＤヘッダを生成するＩＤヘッダ生成部をさらに備え、第１の送信データはＩＤヘッダをさらに含むようにしてもよい。
【００１１】
本発明の一つの態様は、読取装置との間で２種類の送受信チャネルを用いて通信するＲＦＩＤタグであって、自身のＩＤを記憶する記憶部と、読取装置から第１の送受信チャネルを用いて送信された第１の送信データを受信する第２の受信部と、第１の送信データに含まれるＩＤの一つとこのＩＤに対応付けられたチェックコードごとにチェックコードを用いてＩＤのチェックを行うチェック部と、記憶部に記憶されたＩＤを含む第２の送信データを第２の送受信チャネルを用いて送信する第２の送信部とを備え、チェック部でチェックしたＩＤが記憶部に記憶されたＩＤと一致すれば第２の受信部の受信処理の少なくとも一部を停止することを特徴とする。
【００１２】
上述のＲＦＩＤタグは、記憶部に記憶されたＩＤが、第１の送信データに含まれる情報によって指定されるＩＤ郡に含まれなければ第２の受信部の受信処理の少なくとも一部を停止するようにしてもよい。
【発明の効果】
【００１３】
本発明によれば、読取装置から複数のタグＩＤが含まれた問合せ信号が発信される場合でもタグの消費電力を低減することのできるＲＦＩＤシステムを提供することが可能となる。
【発明を実施するための最良の形態】
【００１４】
［実施例１］
図１〜図４に基づいて第１の実施例を説明する。
【００１５】
図１は、本発明の第１の実施例にかかるＲＦＩＤシステムの概略構成を示すブロック図である。アクティブ型ＲＦＩＤタグ１００は、制御部１４０と、メモリ１２０と、メモリ１２０に格納されているタグＩＤ等のデータを所定の符号化方式に従って符号化して送信データを生成するデータ生成部１５０と、データ生成部１５０から受け取った送信データを第２の送受信チャネルＣｈ２のＲＦ信号として送信する送信部１８０と、第１の送受信チャネルＣｈ１のＲＦ信号を受信し復調して受信データ（ＲＦ信号のキャリア強度を表すデータを含む）を生成する受信部１９０と、受信部１９０から受け取った受信データを所定の符号化方式に従って復号して復号データを生成するデータ復号部１６０と、上述のキャリア強度を表すデータに基づいて受信ＲＦ信号のキャリアの有無を判定するキャリアセンス部１７０と、予め設定された時間制御シーケンスでウェイクアップ信号を生成するウェイクアップ部１１０と、これら各構成要素に電力を供給するバッテリ１３０と、を備えている。データ復号部１６０にはＢＣＣによるチェックを行うＢＣＣチェック部１６４とＢＣＣによるチェックがＯＫのときにデータを解読するデータ解読部１６２を含む。
【００１６】
制御部１４０は、電源投入後は常に活動状態になっていて、メモリ１２０と、データ生成部１５０と、送信部１８０と、受信部１９０と、データ解読部１６２と、ＢＣＣチェック部１６４と、キャリアセンス部１７０と、ウェイクアップ部１１０とに、それぞれメモリ制御信号ＣＴＲＬ＿Ｍ、データ生成制御信号ＣＴＲＬ＿ＥＮＣ、送信制御信号ＣＴＲＬ＿ＴＸ、受信制御信号ＣＴＲＬ＿ＲＸ、データ復号制御信号ＣＴＲＬ＿ＤＥＣ、ＢＣＣチェック制御信号ＣＴＲＬ＿ＢＣＣ、キャリア判定制御信号ＣＴＲＬ＿ＣＳおよびウェイクアップ制御信号ＣＴＲＬ＿ＷＵを供給する。制御部１４０は、プログラムに従って動作するマイクロプロセッサまたはマイクロコンピュータであってもよい。
【００１７】
メモリ１２０は、アクティブ型ＲＦＩＤタグ１００のタグＩＤ、現在の時刻Ｔ、読取装置２００によるアクセスの記録、ウェイクアップ部１１０の制御スケジュールおよび時間制御シーケンス、バッテリ１３０の現在の電力残量、等の情報を格納している。これらの情報は、制御部１４０の制御の下で格納され、更新される。制御部１４０は、定期的にまたは周期的にバッテリ１３０の供給電圧の値を検知することによってその現在の電力残量を判定して、バッテリ１３０の電力残量を表す情報をメモリ１２０に格納する。
【００１８】
ウェイクアップ部１１０は、時間を測定し時刻を生成するタイマ１１２を含み、アクティブ型ＲＦＩＤタグ１００の電源投入後は常に活動状態になっていて、タイマ１１２の時刻およびメモリ１２０から読み出した予め設定された制御スケジュールおよび時間制御シーケンスに従って所定の周期（例えば２秒）でウェイクアップ信号Ｗａｋｅｕｐを制御部１４０に供給する。制御部１４０は、読取装置２００から、制御スケジュールおよび時間制御シーケンスを修正または更新する命令と、現在の時刻Ｔと、制御スケジュールおよび時間制御シーケンスとを受信データとして受信したとき、メモリ１２０中の時刻Ｔ、制御スケジュールおよび時間制御シーケンスを修正し更新する。制御部１４０は、メモリ１２０中の時刻Ｔに基づいてタイマ１１２の時刻を修正し、タイマ１１２によって生成された現在の時刻Ｔをメモリ１２０に書き込み更新する。
【００１９】
データ生成部１５０は、メモリ１２０に格納されているタグＩＤ等を含む所定のフォーマットのデータを生成して所定の符号化方式に従ってそれを符号化して送信部１８０に供給する。そのデータはバッテリ残量およびアクセス記録を含むことがある。ＢＣＣチェック部１６４はＢＣＣによるチェック結果を制御部１４０に供給し、データ解読部１６２は解読したＩＤがメモリ１２０に格納されているタグＩＤと一致するか否かの判定結果を制御部１４０に供給する。キャリアセンス部１７０は、受信部１９０から受信ＲＦ信号キャリアの電力の強度を表すデータを受け取って受信キャリアの有無を判定し、その判定結果を制御部１４０に供給する。
【００２０】
読取装置２００は、制御部２７０と、ホスト・コンピュータ（図示せず）との間でデータを送受信するホストＩ／Ｆ部２５０と、メモリ２６０と、ホストＩ／Ｆ部２５０から受け取ったコマンド等を含む所定のフォーマットのデータを生成して所定の符号化方式に従って符号化して送信データを生成するデータ生成部２３０と、データ生成部２３０から受け取った送信データを第１の送受信チャネルＣｈ１のＲＦ信号として送信する送信部２１０と、第２の送受信チャネルＣｈ２のＲＦ信号を受信するよう構成された受信部２２０と、受信部２２０から受け取った受信データを所定の符号化方式に従って復号して復号データを生成し、生成した復号データをメモリ２６０に記録するデータ復号部２４０と、を備えている。データ生成部２３０には送信すべきデータに対するＢＣＣを生成するＢＣＣ生成部２３４と送信すべきデータとＢＣＣ生成部２３４で生成されたＢＣＣとを合成して送信データを生成するデータ合成部２３２を含む。
【００２１】
ホストＩ／Ｆ部２５０は、ホスト・コンピュータからのタグＩＤ要求コマンド等のコマンドを受け取ったとき、そのようなコマンドを含むデータをデータ生成部２３０に供給する。そのデータには、アクティブ型ＲＦＩＤタグ１００の使用すべき送受信チャネル、現在の時刻Ｔ、新しいまたは更新された制御スケジュールおよび時間制御シーケンス等を含んでいてもよい。そのようなコマンドには、現在の時刻Ｔとともにタイマ１１２の時刻を修正または更新するよう命令するコマンドが含まれていてもよい。そのようなコマンドには、新しいまたは更新された制御スケジュールまたは時間制御シーケンスとともにメモリ１２０に格納されているスケジュールまたはシーケンスを修正または更新するよう命令するコマンドが含まれていてもよい。
【００２２】
図２は、本発明の第１の実施例にかかるタイミング図である。読取装置２００のデータ生成部２３０は、ホストＩ／Ｆ部２５０から受け取ったアクティブ型ＲＦＩＤタグ１００に対するタグＩＤ要求コマンドを含む送信データを生成する。このとき、ＢＣＣ生成部２３４はホストＩ／Ｆ部２５０から受け取ったアクティブ型ＲＦＩＤタグ１００に対するタグＩＤ要求コマンドの対象となる各アクティブ型ＲＦＩＤタグ１００のタグＩＤごとにＢＣＣを生成し、データ合成部２３２は各アクティブ型ＲＦＩＤタグ１００のタグＩＤとこれに対応するＢＣＣをセットにして、送信データを構成する。送信データのフォーマットは任意であるが、図２に示すように、各アクティブ型ＲＦＩＤタグ１００のタグＩＤ（図２ではＩＤ１からＩＤ６）の直後にこれに対応するＢＣＣ（図２ではＢＣＣ１からＢＣＣ６）を配置する構成が望ましい。これによって、後述するアクティブ型ＲＦＩＤタグ１００内の処理において、自身のタグＩＤに一致するＩＤを受信した際、これに対応するＢＣＣによるチェック及び読取装置２００への返信が遅滞なく行われ得る。なお、送信データに含まれるタグＩＤは暗号化されていてもよい。これにより、アクティブ型ＲＦＩＤタグ１００のタグＩＤの情報を秘匿することができる。また、各タグＩＤに対するＢＣＣの生成において、タグＩＤだけでなく、タグＩＤ要求コマンドも含めた形でＢＣＣを生成することにしてもよい。これによって、コマンド情報の伝送エラーにも対処可能となる。送信部２１０は、データ生成部２３０で生成された送信データを第１の送受信チャネルＣｈ１のＲＦ信号として繰り返し送信する。
【００２３】
アクティブ型ＲＦＩＤタグ１００において、受信部１９０およびキャリアセンス部１７０は、ウェイクアップ部１１０のウェイクアップ信号に従って一定の周期（例えば２秒）ごとに所定の持続時間（例えば約１ｍｓ〜１０ｍｓ）で発生するキャリアセンスのタイミングで制御部１４０によってイネーブル（活動化、ｅｎａｂｌｅ）される。それによって、受信部１９０は受信待ち状態になり、キャリアセンス部１７０は受信部１９０からの受信ＲＦ信号キャリアの電力の強度を表すデータに従って受信キャリアの有無の判定を行う。
【００２４】
アクティブ型ＲＦＩＤタグ１００が読取装置２００に接近していないときは、キャリアセンス部１７０はキャリアを検知せず、キャリアが存在しないと判定する。キャリアセンスのタイミング以外の期間においては、アクティブ型ＲＦＩＤタグ１００は休止モードに入って、制御部１４０およびウェイクアップ部１１０だけがイネーブルまたはパワー・オンされており、その他の構成要素はディセーブル（非活動化、ｄｉｓａｂｌｅ）またはパワー・ダウンされている。
【００２５】
アクティブ型ＲＦＩＤタグ１００が読取装置２００に接近してキャリアセンスのタイミングでアクティブ型ＲＦＩＤタグ１００の受信部１９０がＲＦ信号を受信したときに、キャリアセンス部１７０は、ＲＦ信号のキャリアを検知し、キャリアが存在すると判定する。キャリアが存在するという判定に応答して、受信部１９０およびデータ復号部１６０が所定の持続時間（例えば１００ｍｓ）でイネーブルされ、受信待機状態となる。受信部１９０はＲＦ信号を監視し、新しい送信フレームが開始された時点から受信信号を復調してコマンドを含む受信データを生成し、データ復号部１６０に供給する。データ復号部１６０では、まずＢＣＣチェック部１６４で最初のＩＤに対応するＢＣＣによるチェックを行い、ＢＣＣによるチェックがＯＫの場合は、データ解読部１６２で受信データを解読してＩＤを抽出し、メモリ１２０から取り出したタグＩＤと比較する。このＢＣＣによるチェックとＩＤ比較を繰り返し、受信ＩＤがメモリ１２０から取り出したタグＩＤと一致したらデータ解読部１６２は一致の判定結果を制御部１４０に供給する。制御部１４０は、受信部１９０とデータ復号部１６０をディセーブルするとともに、所定の持続時間（例えば１００ｍｓ）で、データ生成部１５０および送信部１８０をイネーブルし、データ生成部１５０はメモリ１２０から取り出したタグＩＤを含む送信データを生成する。送信部１８０は送信データを第２の送受信チャネルＣｈ２のＲＦ信号として送信する。送信データを送信した後、アクティブ型ＲＦＩＤタグ１００は休止モードに移行する。
【００２６】
読取装置２００の受信部２２０は、常に受信待機状態にあり、アクティブ型ＲＦＩＤタグ１００が接近してアクティブ型ＲＦＩＤタグ１００からのＲＦ信号を受信したときに、受信したＲＦ信号を復調して受信データを生成しデータ復号部２４０に供給する。データ復号部２４０ではまずＢＣＣチェック部２４４でＢＣＣによるチェックを行い、ＢＣＣによるチェックがＯＫの場合は、データ解読部２４２で受信データを解読してタグＩＤを抽出し、メモリ２６０に記録する。ホストＩ／Ｆ部２５０は、メモリ２６０からタグＩＤを読み出し、ホスト・コンピュータに供給する。ホスト・コンピュータは、タグＩＤを処理して、商品の流通または人を監視し管理するのに用いる。
【００２７】
図３は、本発明の第１の実施例にかかる読取装置のフローチャートである。以下フローチャートに沿って読取装置２００の処理の流れを説明する。ホストから読取装置２００にタグＩＤ問合せの要求がくると（Ｓ１００：Ｙｅｓ）、ホスト対応処理とは別に送信系および受信系の処理が開始される。送信系の処理は、ホストから指定された各タグＩＤに対するＢＣＣを生成し（Ｓ１１２）、それらを基に送信データを生成し（Ｓ１１４）、この送信データを繰り返し送信する（Ｓ１１６）。受信系の処理は、まず受信待ち状態となり、タグＩＤを受信すると（Ｓ１２２）、ＢＣＣによるチェックをしてＯＫであれば（Ｓ１２４：Ｙｅｓ）、受信データを解読してタグＩＤを抽出し（Ｓ１２６）、抽出したタグＩＤをメモリ２６０に記録する（Ｓ１２８）。これを要求されたすべてのタグＩＤを取得するかホストからの終了指示がくるまで繰り返す。送信系の処理の終了条件も、受信系の処理の終了条件に準ずる。その間にホストからタグＩＤ読取コマンドがあった場合は（Ｓ１０２：Ｙｅｓ）、読取装置２００はメモリ２６０に記録されたタグＩＤを基に応答データを生成し（Ｓ１０４）、ホストへ送信する（Ｓ１０６）。要求されたすべてのタグＩＤについて応答データを送信し終わるかホストからの終了指示がくるまで、読取装置２００はホスト対応処理を繰り返す。
【００２８】
図４は、本発明の第１の実施例にかかるタグのフローチャートである。以下フローチャートに沿ってアクティブ型ＲＦＩＤタグ１００の処理の流れを説明する。アクティブ型ＲＦＩＤタグ１００の電源投入と同時に制御部１４０とウェイクアップ部１１０がイネーブルとなる（Ｓ２０２）。ウェイクアップ部１１０からウェイクアップ信号が出力されると（Ｓ２０４：Ｙｅｓ）受信部１９０とキャリアセンス部１７０がイネーブルされる（Ｓ２０６）。キャリアセンス部１７０がキャリアを検出すると（Ｓ２０８：Ｙｅｓ）、データ復号部１６０がイネーブルされるとともに、受信部１９０が受信待機状態となって読取装置２００からの送信データの受信を開始する（Ｓ２１０）。受信部１９０が読取装置２００から送信されたＩＤとそれに対応するＢＣＣを受信するごとに、ＢＣＣチェック部１６４がＢＣＣによるチェックをし、ＯＫであれば（Ｓ２１４：Ｙｅｓ）データ解読部１６２が受信データからＩＤを抽出する（Ｓ２１６）。抽出したＩＤがメモリ１２０から取り出したタグＩＤと一致すると（Ｓ２１８：Ｙｅｓ）、受信部１９０とデータ復号部１６０がディセーブルされ、データ生成部１５０と送信部１８０がイネーブルされる（Ｓ２２０）。データ生成部１５０が送信データを生成し（Ｓ２２４）、送信部１８０が送信データを送信する（Ｓ２２６）。その後、制御部１４０とウェイクアップ部１１０以外がディセーブルされ休止モードとなる（Ｓ２３０）。メモリ１２０から取り出したタグＩＤと受信ＩＤが一致しない場合は（Ｓ２１８：Ｎｏ）、次の受信ＩＤについてＢＣＣによるチェックから繰り返す。読取装置２００から送信されたすべてのＩＤがメモリ１２０から取り出したタグＩＤと一致しなかった場合は（Ｓ２２８：Ｙｅｓ）、制御部１４０とウェイクアップ部１１０以外がディセーブルされ休止モードとなる（Ｓ２３０）。
【００２９】
本実施例においては、アクティブ型ＲＦＩＤタグ１００は読取装置２００から送信される送信データをＩＤとそれに対応するＢＣＣを受信するごとに逐次チェックし、メモリ１２０から取り出したタグＩＤに一致するＩＤを確認した時点で受信処理を停止し、引き続いてメモリ１２０から取り出したタグＩＤの情報を送信した後は休止モードに移行するため、従来のように読取装置２００から送信される送信データのすべてを受信する必要がない。したがって、アクティブ型ＲＦＩＤタグ１００の消費電力は大幅に低減され、バッテリ１３０の稼動時間は大幅に長くなる。さらに、送信データのすべてを待たずに応答できるため、読取装置２００に対する迅速な応答が可能となる。また、従来技術では読取装置２００から送信される送信データに含まれるＩＤに一致するタグＩＤを持つすべてのアクティブ型ＲＦＩＤタグ１００が、読取装置２００から送信される送信データ受信後に一斉に自身のタグＩＤの情報を送信しようとするために衝突（同時送信）が生じ得る。これを避けるため、従来技術においては、各アクティブ型ＲＦＩＤタグ１００は自身のタグＩＤの情報を送信する前に乱数によって決定した待ち時間を設け、その待ち時間が経過した後に自身のタグＩＤの情報を送信する構成をとることが行われる。本実施例においては、読取装置２００から送信される送信データに含まれる各ＩＤに一致するタグＩＤを持つアクティブ型ＲＦＩＤタグ１００が送信順に従って順次自身のタグＩＤの情報を送信することになるため、原理的に衝突が生じにくく、衝突を避けるための対策は不要となる。すなわち、衝突を避けるための回路や処理が不要となる分、従来に比べ、さらにアクティブ型ＲＦＩＤタグ１００の消費電力を低減することが可能となる。また、乱数による待ち時間を設定した場合はそれだけ返信が遅れることになるが、この処理が不要になることによって、読取装置２００とアクティブ型ＲＦＩＤタグ１００との間で迅速な応答が可能となる。
【００３０】
なお、読取装置２００からの送信データ内のＩＤ記載順序について、特定の順序で記載した場合、アクティブ型ＲＦＩＤタグ１００の消費電力に差が生じる。例えばＩＤ値の小さいものから順番に記載してあると、ＩＤ値の小さいアクティブ型ＲＦＩＤタグ１００は、早い段階で自分のタグＩＤを受信可能なため早い段階で休止モードに移行できるが、ＩＤ値の最も大きいアクティブ型ＲＦＩＤタグ１００は、全ＩＤを受信するまで休止モードに移行できない。これに対処するため、読取装置２００において送信データを生成するごとにＩＤ記載順序を変更することが望ましい。さらには、読取装置２００から送信データを送信するごとに送信データを生成し直すことが望ましい。送信データを生成するごとにＩＤ記載順序を変更する方法としては、毎回ランダムに配置する方法、あるいは、毎回１バイトずつシフトする方法が有効である。
［実施例２］
図５〜図９に基づいて第２の実施例を説明する。
【００３１】
図５は、本発明の第２の実施例にかかるＲＦＩＤシステムの概略構成を示すブロック図である。図１と同じ構成要素には同じ符号を付し、本発明の第１の実施例と同じ処理については説明を割愛する。アクティブ型ＲＦＩＤタグ１００の構成は図１と同様である。
【００３２】
データ解読部１６２はメモリ１２０に格納されているタグＩＤが解読したＩＤヘッダに関連するか否かの判定結果、および解読したＩＤがメモリ１２０に格納されているタグＩＤと一致するか否かの判定結果を制御部１４０に供給する。
【００３３】
読取装置２００の構成は、ＩＤヘッダ生成部２８０がホストＩ／Ｆ部２５０とデータ生成部２３０との間に追加されている点が図１と異なる。
【００３４】
ＩＤヘッダ生成部２８０はホストＩ／Ｆ部２５０から受け取ったコマンド等をデータ生成部２３０に供給するが、このとき、ホストＩ／Ｆ部２５０から受け取ったタグＩＤのＩＤ値の範囲を示す情報であるＩＤヘッダを生成し、このＩＤヘッダもデータ生成部２３０に供給する。データ生成部２３０はＩＤヘッダ生成部２８０から受け取ったＩＤヘッダを含む所定のフォーマットの送信データを生成する。
【００３５】
ホストＩ／Ｆ部２５０は、ホスト・コンピュータからのタグＩＤ要求コマンド等のコマンドを受け取ったとき、そのようなコマンドを含むデータをＩＤヘッダ生成部２８０に供給する。
【００３６】
図６は、本発明の第２の実施例にかかるタイミング図である。図２の説明と重複する部分は説明を割愛する。読取装置２００のＩＤヘッダ生成部２８０は、ホストＩ／Ｆ部２５０から受け取ったタグＩＤ要求コマンドの対象となるアクティブ型ＲＦＩＤタグ１００のタグＩＤからＩＤ値の範囲を示す情報であるＩＤヘッダを生成する。例えば、読取装置２００から送信される送信データに含まれるＩＤが図７に示すように各々８ビットで表現されＩＤ１１＝“０００１０００１”、ＩＤ１２＝“０００１００１０１”、ＩＤ２１＝“００１００００１”、ＩＤ２２＝“００１０００１０”の４個あるとする。ここでは説明の簡単のため８ビット、４個としてあるが、実際にはもっとビット数の多いＩＤが使用され、送信データには多数のＩＤが含まれる。ＩＤを構成する８ビットのうち、上位４ビットがＩＤグループを表し、下位４ビットがＩＤグループ内の個別ＩＤを表す。ＩＤグループは４種類あり、上位４ビットのうちのどのビットが１になっているかでグループを区別する。個別ＩＤは２進法の４ビットであり１６個のアクティブ型ＲＦＩＤタグ１００を区別することができる。ＩＤヘッダ生成部２８０は、どのＩＤグループのＩＤが送信データに含まれるかを示すＩＤヘッダを生成する。ここではＩＤグループ１に含まれるＩＤ１１、ＩＤ１２とＩＤグループ２に含まれるＩＤ２１、ＩＤ２２とがあるため、ＩＤヘッダ＝“００１１ＸＸＸＸ”となる。すなわち、ＩＤヘッダの上位４ビットを見るとＩＤグループ１および２のＩＤは送信データに含まれているが、ＩＤグループ３および４のＩＤは送信データに含まれていないことがわかる。したがって、図７の送信データに含まないＩＤの例として記載されているＩＤ３１＝“０１０００００１”、ＩＤ４３＝“１００００００１１”をタグＩＤとして持つアクティブ型ＲＦＩＤタグ１００は、ＩＤヘッダを参照することによって、自身のＩＤが送信データに含まれていないことを知ることができる。ＩＤヘッダの下位４ビットの“ＸＸＸＸ”は、“０”でも“１”でもよいことを示して後の判定に利用されない。ＩＤヘッダの構成、定義はここに示したものに限定されず任意であるが、個別のＩＤではなく、複数のＩＤを包含する範囲を示すことのできる構成、定義にすることが肝要である。
【００３７】
ＢＣＣ生成部２３４はこのＩＤヘッダに対するＢＣＣも生成する。データ合成部２３２はＩＤヘッダおよびこれに対応するＢＣＣも含めて送信データを生成する。送信データのフォーマットは任意であるが、図６に示すように、各アクティブ型ＲＦＩＤタグ１００のタグＩＤ（図６ではＩＤ１１からＩＤ２２）よりも前にＩＤヘッダおよびこれに対応するＢＣＣを配置する。これによって、後述するアクティブ型ＲＦＩＤタグ１００内の処理において、自身のタグＩＤの属するＩＤグループが送信データに含まれているか否かを即座に判断することができる。なお、送信データに含まれるＩＤヘッダは暗号化されていてもよい。これにより、アクティブ型ＲＦＩＤタグ１００のタグＩＤに関連する情報を秘匿することができる。また、ＩＤヘッダに対するＢＣＣの生成において、ＩＤヘッダだけでなく、コマンドも含めた形でＢＣＣを生成することにしてもよい。これによって、コマンド情報の伝送エラーにも対処可能となる。
【００３８】
ＩＤヘッダ、ＢＣＣを受信したアクティブ型ＲＦＩＤタグ１００はまずＢＣＣチェック部１６４でＢＣＣによるチェックを行い、ＢＣＣによるチェックがＯＫの場合は、データ解読部１６２で受信データを解読してＩＤヘッダを抽出し、メモリ１２０から取り出したタグＩＤと比較する。その結果、メモリ１２０から取り出したタグＩＤの属するＩＤグループのタグＩＤが送信データに含まれると判断した場合には、送信データに含まれる各ＩＤとの比較を行うが、メモリ１２０から取り出したタグＩＤの属するＩＤグループのタグＩＤが送信データに含まれないと判断した場合には、ここで休止モードに移行する。
【００３９】
図８は、本発明の第２の実施例にかかる読取装置のフローチャートである。図３と重複する処理については説明を割愛する。
【００４０】
送信系の処理において、まずホストから指定された各タグＩＤに対するＩＤヘッダを生成する（Ｓ１１２）。その後、ＩＤヘッダおよび各タグＩＤに対するＢＣＣを生成し（Ｓ１１２）、それらを基に送信データを生成する（Ｓ１１４）。
【００４１】
図９は、本発明の第２の実施例にかかるタグのフローチャートである。図４と重複する処理については説明を割愛する。受信部１９０が読取装置２００から送信されたＩＤヘッダとそれに対応するＢＣＣを受信すると、ＢＣＣチェック部１６４がＢＣＣによるチェックをし、ＯＫであれば（Ｓ２４２：Ｙｅｓ）データ解読部１６２が受信データからＩＤヘッダを抽出する（Ｓ２４４）。ＩＤヘッダに基づいてメモリ１２０から取り出したタグＩＤの属するＩＤグループが送信データに含まれていると判断した場合は（Ｓ２４６：Ｙｅｓ）、引き続き各ＩＤのチェック処理に進む。メモリ１２０から取り出したタグＩＤの属するＩＤグループが送信データに含まれていないと判断した場合は（Ｓ２４６：Ｎｏ）、制御部１４０とウェイクアップ部１１０以外がディセーブルされ休止モードとなる（Ｓ２３０）。
【００４２】
本実施例においては、アクティブ型ＲＦＩＤタグ１００は読取装置２００からの送信データをすべて受信することなく、ＩＤヘッダを参照して自身のタグＩＤが含まれないと判断した場合は休止モードに移行するため、受信処理時間が短くなる。したがって、アクティブ型ＲＦＩＤタグ１００の消費電力は大幅に低減され、バッテリ１３０の稼動時間は大幅に長くなる。
【００４３】
なお、上述した実施形態にかかるＲＦＩＤシステムは、ハードウェアとして実施可能であるだけでなく、コンピュータのソフトウェアとしても実施可能である。例えば、図１におけるアクティブ型ＲＦＩＤタグ１００のウェイクアップ部１１０、制御部１４０、データ生成部１５０、データ復号部１６０、キャリアセンス部１７０、送信部１８０、受信部１９０の機能、および読取装置２００の送信部２１０、受信部２２０、データ生成部２３０、データ復号部２４０、ホストＩ／Ｆ部２５０、制御部２７０をコンピュータに実行させるプログラムを作成し、当該プログラムをコンピュータのメモリに読み込ませて実行させれば、ＲＦＩＤシステムを実現することができる。
【００４４】
以上の実施例を含む実施形態に関して、さらに以下の付記を開示する。
（付記１）ＲＦＩＤタグと、該ＲＦＩＤタグとの間で２種類の送受信チャネルを用いて通信し、送信、受信を同時に処理可能な読取装置とを含むＲＦＩＤシステムであって、前記読取装置は、複数のＩＤの各々に対してチェックコードを生成して該各ＩＤに対応付け、該対応付けられた複数のＩＤとチェックコードを含む第１の送信データを生成するデータ生成部と、前記第１の送信データを第１の送受信チャネルを用いて送信する第１の送信部と、前記ＲＦＩＤタグから第２の送受信チャネルを用いて送信された第２の送信データを受信する第１の受信部とを備え、前記ＲＦＩＤタグは、自身のＩＤを記憶する記憶部と、前記第１の送信データを受信する第２の受信部と、前記第１の送信データに含まれるＩＤの一つと該ＩＤに対応付けられたチェックコードごとに該チェックコードを用いて該ＩＤのチェックを行うチェック部と、前記記憶部に記憶されたＩＤを含む第２の送信データを前記第２の送受信チャネルを用いて送信する第２の送信部とを備え、前記チェック部でチェックしたＩＤが前記記憶部に記憶されたＩＤと一致すれば前記第２の受信部の受信処理の少なくとも一部を停止することを特徴とするＲＦＩＤシステム。
【００４５】
（付記２）  付記１に記載したＲＦＩＤシステムであって、前記読取装置は、前記第１の送信データに含まれるすべてのＩＤを含むＩＤ群を指定する情報を含むＩＤヘッダを生成するＩＤヘッダ生成部をさらに備え、前記第１の送信データは、前記ＩＤヘッダをさらに含み、前記タグは、前記記憶部に記憶されたＩＤが、前記ＩＤヘッダに含まれる情報によって指定されるＩＤ郡に含まれなければ前記第２の受信部の受信処理の少なくとも一部を停止することを特徴とするＲＦＩＤシステム。
【００４６】
（付記３）ＲＦＩＤタグとの間で２種類の送受信チャネルを用いて通信し、送信、受信を同時に処理可能な読取装置であって、複数のＩＤの各々に対してチェックコードを生成して該各ＩＤに対応付け、該対応付けられた複数のＩＤとチェックコードを含む第１の送信データを生成するデータ生成部と、前記第１の送信データを第１の送受信チャネルを用いて送信する第１の送信部と、前記ＲＦＩＤタグから第２の送受信チャネルを用いて送信された第２の送信データを受信する第１の受信部とを備えたことを特徴とする読取装置。
【００４７】
（付記４）付記３に記載した読取装置であって、前記第１の送信データに含まれるすべてのＩＤを含むＩＤ群を指定する情報を含むＩＤヘッダを生成するＩＤヘッダ生成部をさらに備え、前記第１の送信データは前記ＩＤヘッダをさらに含むことを特徴とする読取装置。
【００４８】
（付記５）付記３ないし付記４に記載した読取装置であって、前記データ生成部は、前記第１の送信データを生成するごとに該第１の送信データ内の複数のＩＤの順序を変更して生成することを特徴とする読取装置。
【００４９】
（付記６）付記３ないし付記４に記載した読取装置であって、前記データ生成部は、前記第１の送信部が前記第１の送信データを送信するごとに該第１の送信データ内の複数のＩＤの順序を変更して該第１の送信データを生成することを特徴とする読取装置。
【００５０】
（付記７）読取装置との間で２種類の送受信チャネルを用いて通信するＲＦＩＤタグであって、自身のＩＤを記憶する記憶部と、前記読取装置から第１の送受信チャネルを用いて送信された第１の送信データを受信する第２の受信部と、前記第１の送信データに含まれるＩＤの一つと該ＩＤに対応付けられたチェックコードごとに該チェックコードを用いて該ＩＤのチェックを行うチェック部と、前記記憶部に記憶されたＩＤを含む第２の送信データを第２の送受信チャネルを用いて送信する第２の送信部とを備え、前記チェック部でチェックしたＩＤが前記記憶部に記憶されたＩＤと一致すれば前記第２の受信部の受信処理の少なくとも一部を停止することを特徴とするＲＦＩＤタグ。
【００５１】
（付記８）付記７に記載したＲＦＩＤタグであって、前記チェック部でチェックしたＩＤが前記記憶部に記憶されたＩＤと一致すれば前記第２の受信部の受信処理の少なくとも一部を停止し、前記第２の送信部が前記第２の送信データを送信することを特徴とするＲＦＩＤタグ。
【００５２】
（付記９）付記７ないし付記８に記載したＲＦＩＤタグであって、前記記憶部に記憶されたＩＤが、前記第１の送信データに含まれる情報によって指定されるＩＤ郡に含まれなければ前記第２の受信部の受信処理の少なくとも一部を停止することを特徴とするＲＦＩＤタグ。
【００５３】
（付記１０）付記７ないし付記９に記載したＲＦＩＤタグであって、前記ＲＦＩＤタグはバッテリを内蔵し、前記第２の受信部の受信処理の少なくとも一部を停止することによって前記バッテリの消費電力を実質的に抑制することを特徴とするＲＦＩＤタグ。
【００５４】
（付記１１）ＩＤを記憶した記憶部を備えたＲＦＩＤタグと、該ＲＦＩＤタグとの間で２種類の送受信チャネルを用いて通信し、送信、受信を同時に処理可能な読取装置とを含むＲＦＩＤシステムが前記ＲＦＩＤタグのＩＤ情報を送受するＩＤ情報送受方法であって、複数のＩＤの各々に対してチェックコードを生成して該各ＩＤに対応付け、該対応付けられた複数のＩＤとチェックコードを含む第１の送信データを生成するデータ生成ステップと、前記データ生成ステップで生成した第１の送信データを第１の送受信チャネルを用いて送信する第１の送信ステップと、前記第１送信データを受信する第２の受信ステップと、前記第１の送信データに含まれるＩＤの一つと該ＩＤに対応付けられたチェックコードごとに該チェックコードを用いて該ＩＤのチェックを行うチェックステップと、前記記憶部に記憶されたＩＤを含む第２の送信データを前記第２の送受信チャネルを用いて送信する第２の送信ステップと、前記第２の送信データを受信する第１の受信ステップとを含み、前記チェックステップでチェックしたＩＤが前記記憶部に記憶されたＩＤと一致すれば前記第２の受信ステップの受信処理の少なくとも一部を停止することを特徴とするＩＤ情報送受方法。
【００５５】
（付記１２）  付記１１に記載したＩＤ情報送受方法であって、前記送信データに含まれるすべてのＩＤを含むＩＤ群を指定する情報を含むＩＤヘッダを生成するＩＤヘッダ生成ステップをさらに含み、前記データ生成ステップでは、前記ＩＤヘッダをさらに含む送信データを生成し、前記記憶部に記憶されたＩＤが、前記ＩＤヘッダに含まれる情報によって指定されるＩＤ郡に含まれなければ前記受信ステップの受信処理の少なくとも一部を停止することを特徴とするＩＤ情報送受方法。
【００５６】
（付記１３）ＲＦＩＤタグとの間で２種類の送受信チャネルを用いて通信し、送信、受信を同時に処理可能な読取装置が前記ＲＦＩＤタグのＩＤ情報を送受するＩＤ情報送受方法であって、複数のＩＤの各々に対してチェックコードを生成して該各ＩＤに対応付け、該対応付けられた複数のＩＤとチェックコードを含む第１の送信データを生成するデータ生成ステップと、前記第１の送信データを第１の送受信チャネルを用いて送信する第１の送信ステップと、前記ＲＦＩＤタグから第２の送受信チャネルを用いて送信された第２の送信データを受信する第１の受信ステップとを含むことを特徴とするＩＤ情報送受方法。
【００５７】
（付記１４）付記１３に記載したＩＤ情報送受方法であって、前記第１の送信データに含まれるすべてのＩＤを含むＩＤ群を指定する情報を含むＩＤヘッダを生成するＩＤヘッダ生成ステップをさらに含み、前記第１の送信データは前記ＩＤヘッダをさらに含むことを特徴とするＩＤ情報送受方法。
【００５８】
（付記１５）付記１３ないし付記１４に記載したＩＤ情報送受方法であって、前記データ生成ステップでは、前記第１の送信データを生成するごとに該第１の送信データ内の複数のＩＤの順序を変更して生成することを特徴とするＩＤ情報送受方法。
【００５９】
（付記１６）付記１３ないし付記１４に記載したＩＤ情報送受方法であって、前記データ生成ステップでは、前記第１の送信ステップで前記第１の送信データを送信するごとに該第１の送信データ内の複数のＩＤの順序を変更して該第１の送信データを生成することを特徴とするＩＤ情報送受方法。
【００６０】
（付記１７）読取装置との間で２種類の送受信チャネルを用いて通信し、ＩＤを記憶した記憶部を備えたＲＦＩＤタグが該ＩＤの情報を送受するＩＤ情報送受方法であって、前記読取装置から第１の送受信チャネルを用いて送信された第１の送信データを受信する第２の受信ステップと、前記第１の送信データに含まれるＩＤの一つと該ＩＤに対応付けられたチェックコードごとに該チェックコードを用いて該ＩＤのチェックを行うチェックステップと、前記記憶部に記憶されたＩＤを含む第２の送信データを第２の送受信チャネルを用いて送信する第２の送信ステップとを含み、前記チェックステップでチェックしたＩＤが前記記憶部に記憶されたＩＤと一致すれば前記第２の受信ステップの受信処理の少なくとも一部を停止することを特徴とするＩＤ情報送受方法。
【００６１】
（付記１８）付記１７に記載したＩＤ情報送受方法であって、前記チェックステップでチェックしたＩＤが前記記憶部に記憶されたＩＤと一致すれば前記第２の受信ステップの受信処理の少なくとも一部を停止し、前記第２の送信ステップで前記第２の送信データを送信することを特徴とするＩＤ情報送受方法。
【００６２】
（付記１９）付記１７ないし付記１８に記載したＩＤ情報送受方法であって、前記記憶部に記憶されたＩＤが、前記第１の送信データに含まれる情報によって指定されるＩＤ郡に含まれなければ前記第２の受信ステップの受信処理の少なくとも一部を停止することを特徴とするＩＤ情報送受方法。
【００６３】
（付記２０）付記１７ないし付記１９に記載したＩＤ情報送受方法であって、前記ＲＦＩＤタグはバッテリを内蔵し、前記第２の受信ステップの受信処理の少なくとも一部を停止することによって前記バッテリの消費電力を実質的に抑制することを特徴とするＩＤ情報送受方法。
【００６４】
（付記２１）ＩＤを記憶した記憶部を備えたＲＦＩＤタグと、該ＲＦＩＤタグとの間で２種類の送受信チャネルを用いて通信し、送信、受信を同時に処理可能な読取装置とを含むＲＦＩＤシステムに前記ＲＦＩＤタグのＩＤ情報を送受するＩＤ情報送受方法を実行させるプログラムであって、前記ＩＤ情報送受方法は、複数のＩＤの各々に対してチェックコードを生成して該各ＩＤに対応付け、該対応付けられた複数のＩＤとチェックコードを含む第１の送信データを生成するデータ生成ステップと、前記データ生成ステップで生成した第１の送信データを第１の送受信チャネルを用いて送信する第１の送信ステップと、前記第１送信データを受信する第２の受信ステップと、前記第１の送信データに含まれるＩＤの一つと該ＩＤに対応付けられたチェックコードごとに該チェックコードを用いて該ＩＤのチェックを行うチェックステップと、前記記憶部に記憶されたＩＤを含む第２の送信データを前記第２の送受信チャネルを用いて送信する第２の送信ステップと、前記第２の送信データを受信する第１の受信ステップとを含み、前記チェックステップでチェックしたＩＤが前記記憶部に記憶されたＩＤと一致すれば前記第２の受信ステップの受信処理の少なくとも一部を停止することを特徴とするＩＤ情報送受プログラム。
【００６５】
（付記２２）  付記２１に記載したＩＤ情報送受プログラムであって、前記ＩＤ情報送受方法は、前記送信データに含まれるすべてのＩＤを含むＩＤ群を指定する情報を含むＩＤヘッダを生成するＩＤヘッダ生成ステップをさらに含み、前記データ生成ステップでは、前記ＩＤヘッダをさらに含む送信データを生成し、前記記憶部に記憶されたＩＤが、前記ＩＤヘッダに含まれる情報によって指定されるＩＤ郡に含まれなければ前記受信ステップの受信処理の少なくとも一部を停止することを特徴とするＩＤ情報送受プログラム。
【００６６】
（付記２３）ＲＦＩＤタグとの間で２種類の送受信チャネルを用いて通信し、送信、受信を同時に処理可能な読取装置に前記ＲＦＩＤタグのＩＤ情報を送受するＩＤ情報送受方法を実行させるプログラムであって、前記ＩＤ情報送受方法は、複数のＩＤの各々に対してチェックコードを生成して該各ＩＤに対応付け、該対応付けられた複数のＩＤとチェックコードを含む第１の送信データを生成するデータ生成ステップと、前記第１の送信データを第１の送受信チャネルを用いて送信する第１の送信ステップと、前記ＲＦＩＤタグから第２の送受信チャネルを用いて送信された第２の送信データを受信する第１の受信ステップとを含むことを特徴とするＩＤ情報送受プログラム。
【００６７】
（付記２４）付記２３に記載したＩＤ情報送受プログラムであって、前記ＩＤ情報送受方法は、前記第１の送信データに含まれるすべてのＩＤを含むＩＤ群を指定する情報を含むＩＤヘッダを生成するＩＤヘッダ生成ステップをさらに含み、前記第１の送信データは前記ＩＤヘッダをさらに含むことを特徴とするＩＤ情報送受プログラム。
【００６８】
（付記２５）付記２３ないし付記２４に記載したＩＤ情報送受プログラムであって、前記ＩＤ情報送受方法は、前記データ生成ステップでは、前記第１の送信データを生成するごとに該第１の送信データ内の複数のＩＤの順序を変更して生成することを特徴とするＩＤ情報送受プログラム。
【００６９】
（付記２６）付記２３ないし付記２４に記載したＩＤ情報送受プログラムであって、前記ＩＤ情報送受方法は、前記データ生成ステップでは、前記第１の送信ステップで前記第１の送信データを送信するごとに該第１の送信データ内の複数のＩＤの順序を変更して該第１の送信データを生成することを特徴とするＩＤ情報送受プログラム。
【００７０】
（付記２７）読取装置との間で２種類の送受信チャネルを用いて通信し、ＩＤを記憶した記憶部を備えたＲＦＩＤタグに該ＩＤの情報を送受するＩＤ情報送受方法を実行させるプログラムであって、前記ＩＤ情報送受方法は、前記読取装置から第１の送受信チャネルを用いて送信された第１の送信データを受信する第２の受信ステップと、前記第１の送信データに含まれるＩＤの一つと該ＩＤに対応付けられたチェックコードごとに該チェックコードを用いて該ＩＤのチェックを行うチェックステップと、前記記憶部に記憶されたＩＤを含む第２の送信データを第２の送受信チャネルを用いて送信する第２の送信ステップとを含み、前記チェックステップでチェックしたＩＤが前記記憶部に記憶されたＩＤと一致すれば前記第２の受信ステップの受信処理の少なくとも一部を停止することを特徴とするＩＤ情報送受プログラム。
【００７１】
（付記２８）付記２７に記載したＩＤ情報送受プログラムであって、前記ＩＤ情報送受方法は、前記チェックステップでチェックしたＩＤが前記記憶部に記憶されたＩＤと一致すれば前記第２の受信ステップの受信処理の少なくとも一部を停止し、前記第２の送信ステップで前記第２の送信データを送信することを特徴とするＩＤ情報送受プログラム。
【００７２】
（付記２９）付記２７ないし付記２８に記載したＩＤ情報送受プログラムであって、前記ＩＤ情報送受方法は、前記記憶部に記憶されたＩＤが、前記第１の送信データに含まれる情報によって指定されるＩＤ郡に含まれなければ前記第２の受信ステップの受信処理の少なくとも一部を停止することを特徴とするＩＤ情報送受プログラム。
【００７３】
（付記３０）付記２７ないし付記２９に記載したＩＤ情報送受プログラムであって、前記ＲＦＩＤタグはバッテリを内蔵し、前記ＩＤ情報送受方法は、前記第２の受信ステップの受信処理の少なくとも一部を停止することによって前記バッテリの消費電力を実質的に抑制することを特徴とするＩＤ情報送受プログラム。
【図面の簡単な説明】
【００７４】
【図１】本発明の第１の実施例にかかるＲＦＩＤシステムの概略構成を示すブロック図
【図２】本発明の第１の実施例にかかるタイミング図
【図３】本発明の第１の実施例にかかる読取装置のフローチャート
【図４】本発明の第１の実施例にかかるタグのフローチャート
【図５】本発明の第２の実施例にかかるＲＦＩＤシステムの概略構成を示すブロック図
【図６】本発明の第２の実施例にかかるタイミング図
【図７】本発明の第２の実施例におけるＩＤヘッダを説明する図
【図８】本発明の第２の実施例にかかる読取装置のフローチャート
【図９】本発明の第２の実施例にかかるタグのフローチャート
【符号の説明】
【００７５】
１００：アクティブ型ＲＦＩＤタグ
１１０：ウェイクアップ部
１１２：タイマ
１２０：メモリ
１３０：バッテリ
１４０：制御部
１５０：データ生成部
１６０：データ復号部
１６２：データ解読部
１６４：ＢＣＣチェック部
１７０：キャリアセンス部
１８０：送信部
１９０：受信部
２００：読取装置
２１０：送信部
２２０：受信部
２３０：データ生成部
２３２：データ合成部
２３４：ＢＣＣ生成部
２４０：データ復号部
２４２：データ解読部
２４４：ＢＣＣチェック部
２５０：ホストＩ／Ｆ部
２５２：ホストデータ解読部
２５４：応答データ生成部
２６０：メモリ
２７０：制御部
２８０：ＩＤヘッダ生成部
【図２】
2007323253.tif 000003
【図３】
2007323253.tif 000004
【図４】
2007323253.tif 000005
【図５】
2007323253.tif 000006
【図６】
2007323253.tif 000007
【図７】
2007323253.tif 000008
【図８】
2007323253.tif 000009
【図９】
2007323253.tif 000010
【図１】
2007323253.tif 000011